(57)【要約】【課題】特別可動入賞装置に入賞した遊技球が特別可動入賞装置内に設けられた特定入球口に入球することに対する期待感を維持させて、特別可動入賞装置に入賞した遊技球の動きを見る楽しみを遊技者に与えることが出来る、新規な構造のパチンコ機を提供することを、目的とする。【解決手段】特別可動入賞装置３０に入賞して転動ステージ４６に誘導されてきた遊技球の全てが、第一の遊技球誘導手段４８と第二の遊技球誘導手段５０の何れかによって、回転ステージ６０へ誘導される。また、回転ステージ６０へ誘導されてきた遊技球が回転ステージ６０に設けられた複数の磁石６４のうちの特定の磁石に吸着される確率が、第一の遊技球誘導手段４８と第二の遊技球誘導手段５０とで異なるように設定されている。【選択図】図２
2008279131.tif 000002
【特許請求の範囲】
【請求項１】
遊技球の始動入賞装置への入賞に基づいて入賞口が開放される特別可動入賞装置が設けられており、該特別可動入賞装置に入賞した遊技球が該特別可動入賞装置内に設けられた特定入球口に入球することによって、遊技者に有利な特別遊技状態が発生するパチンコ機において、
前記特別可動入賞装置に入賞した遊技球が誘導されてくる転動ステージと、
一軸回りに回転可能に配されて、遊技球を吸着する磁石が回転中心軸線回りの同一周上で等間隔に複数設けられており、該磁石に吸着された遊技球を前記特定入球口のほうへ誘導する回転ステージと、
該回転ステージが所定角度回転する毎に作動せしめられて、該回転ステージに設けられた複数の前記磁石のうちの特定の磁石に吸着されている遊技球を、前記特定入球口に入球させるために、該特定の磁石から引き離す特定遊技球引離手段と、
前記転動ステージ上を転動する遊技球を吸着する第一の誘導用磁石が設けられており、該転動ステージ上を転動する遊技球を該第一の誘導用磁石に吸着させて、前記回転ステージに設けられた複数の前記磁石の何れかに吸着させるために該回転ステージのほうへ誘導する第一の遊技球誘導手段と、
前記転動ステージ上を転動する遊技球を吸着する第二の誘導用磁石が設けられており、該転動ステージ上を転動する遊技球を該第二の誘導用磁石に吸着させて、前記回転ステージに設けられた複数の前記磁石の何れかに吸着させるために該回転ステージのほうへ誘導するようになっており、該回転ステージのほうへ誘導した遊技球が前記特定の磁石に吸着される確率が、前記第一の遊技球誘導手段によって該回転ステージのほうへ誘導されてきた遊技球が該特定の磁石に吸着される確率よりも高く設定されている第二の遊技球誘導手段と
を、備えており、前記特別可動入賞装置に入賞して前記転動ステージに誘導されてきた遊技球の全てが、前記第一の遊技球誘導手段と前記第二の遊技球誘導手段の何れかによって、前記回転ステージへ誘導されるようになっていることを特徴とするパチンコ機。
【請求項２】
前記回転ステージの回転に伴って回転せしめられる遊星枠と、該遊星枠の回転に伴って回転せしめられる遊星歯車とを含んで構成された遊星歯車機構が設けられており、前記特定遊技球引離手段が、該遊星歯車と一体的に回転可能に設けられて、前記特定の磁石に吸着された遊技球に接触した状態で更に回転せしめられることにより、該遊技球を該特定の磁石から払い落とす払落突起を含んで構成されている請求項１に記載のパチンコ機。
【請求項３】
前記回転ステージに設けられた前記磁石に吸着されている遊技球が前記特定遊技球引離手段の作動位置に到達する前において、前記第一の遊技球誘導手段によって誘導されて該磁石に吸着された遊技球のうち前記第二の遊技球誘導手段によって誘導されてきた遊技球が吸着せしめられる該磁石以外の該磁石に吸着せしめられた遊技球を引き離す到達前遊技球引離手段が設けられている請求項１又は２に記載のパチンコ機。
【発明の詳細な説明】
【技術分野】
【０００１】
本発明は、遊技球の始動入賞装置への入賞に基づいて入賞口が開放される特別可動入賞装置に入賞した遊技球が、かかる特別可動入賞装置内に設けられた特定入球口に入球することによって、遊技者に有利な特別遊技状態が発生するパチンコ機に関するものである。
【背景技術】
【０００２】
従来から、始動入賞装置に遊技球が入賞すると、それまで閉鎖されていた特別可動入賞装置の入賞口が開放されて、特別可動入賞装置への遊技球の入賞が可能になり、かかる特別可動入賞装置に入賞した遊技球が特別可動入賞装置内に設けられた特定入球口に入球することによって、遊技者に有利な特別遊技状態が発生するパチンコ機が知られている。
【０００３】
この種のパチンコ機においては、特別可動入賞装置に入賞した遊技球が特定入球口に入球するか否かが遊技者の最大の関心事になることから、特別可動入賞装置内での遊技球の動きに遊技者の興味を惹きつけるための工夫を施す必要がある。
【０００４】
そこで、特許文献１に記載されているように、可変入賞装置に入賞した遊技球が誘導されてくるステージの後方に、複数の磁石を備えた透明板が回転可能に設けられており、ステージ上を転動する遊技球が透明板に備えられた磁石に吸着されて、透明板と一緒に回転せしめられた後、所定のタイミングで駆動せしめられる誘導部材の先端に設けられた磁石に吸着されると、遊技球がＶ入賞口に誘導されるようにしたパチンコ機が提案されている。
【０００５】
しかしながら、特許文献１に記載のパチンコ機においては、透明板に備えられた磁石に吸着されなかった遊技球は、ステージが動くことによって、アウト口に誘導されるようになっていることから、可変入賞装置に入賞したにも拘わらず、透明板に備えられた磁石に吸着されない遊技球がでてきてしまうおそれがある。それ故、遊技球がＶ入賞口に入賞して欲しいと遊技者が期待する時間が短くなってしまう。
【０００６】
なお、可変入賞装置に入賞した遊技球が透明板に備えられた磁石に必ず吸着されるようにすることも考えられるが、この場合には、遊技球が透明板に備えられた磁石に吸着されるか否かを見る楽しみがなくなってしまい、遊技者を十分に楽しませることが出来なくなってしまう。
【０００７】
【特許文献１】特開２００５−１２４９０２号公報
【発明の開示】
【発明が解決しようとする課題】
【０００８】
ここにおいて、本発明は、上述の如き事情を背景として為されたものであって、その解決課題とするところは、特別可動入賞装置に入賞した遊技球が特別可動入賞装置内に設けられた特定入球口に入球することに対する期待感を維持させて、特別可動入賞装置に入賞した遊技球の動きを見る楽しみを遊技者に与えることが出来る、新規な構造のパチンコ機を提供することにある。
【課題を解決するための手段】
【０００９】
以下、このような課題を解決するために為された本発明の態様を記載する。なお、以下に記載の各態様において採用される構成要素は、可能な限り任意の組み合わせで採用可能である。
【００１０】
本発明は、遊技球の始動入賞装置への入賞に基づいて入賞口が開放される特別可動入賞装置が設けられており、特別可動入賞装置に入賞した遊技球が特別可動入賞装置内に設けられた特定入球口に入球することによって、遊技者に有利な特別遊技状態が発生するパチンコ機において、特別可動入賞装置に入賞した遊技球が誘導されてくる転動ステージと、一軸回りに回転可能に配されて、遊技球を吸着する磁石が回転中心軸線回りの同一周上で等間隔に複数設けられており、磁石に吸着された遊技球を特定入球口のほうへ誘導する回転ステージと、回転ステージが所定角度回転する毎に作動せしめられて、回転ステージに設けられた複数の磁石のうち特定の磁石に吸着されている遊技球を、特定入球口に入球させるために、特定の磁石から引き離す特定遊技球引離手段とを、備えていることを、特徴とする。また、本発明においては、転動ステージ上を転動する遊技球を吸着する第一の誘導用磁石が設けられており、転動ステージ上を転動する遊技球を第一の誘導用磁石に吸着させて、回転ステージに設けられた複数の磁石の何れかに吸着させるために回転ステージのほうへ誘導する第一の遊技球誘導手段と、転動ステージ上を転動する遊技球を吸着する第二の誘導用磁石が設けられており、転動ステージ上を転動する遊技球を第二の誘導用磁石に吸着させて、回転ステージに設けられた複数の磁石の何れかに吸着させるために回転ステージのほうへ誘導するようになっており、回転ステージのほうへ誘導されてきた遊技球が特定の磁石に吸着される確率が、第一の遊技球誘導手段によって回転ステージのほうへ誘導した遊技球が特定の磁石に吸着される確率よりも高く設定されている第二の遊技球誘導手段とを、備えていることも、特徴とする。更にまた、本発明においては、特別可動入賞装置に入賞して転動ステージに誘導されてきた遊技球の全てが、第一の遊技球誘導手段と第二の遊技球誘導手段の何れかによって、回転ステージへ誘導されるようになっていることも、特徴とする。
【００１１】
このような本発明に従う構造とされたパチンコ機においては、特別可動入賞装置に入賞して転動ステージに誘導されてきた遊技球の全てが、第一の遊技球誘導手段と第二の遊技球誘導手段の何れかによって、回転ステージへ誘導されるようになっていることから、遊技球が特別可動入賞装置に入賞することによって得られる、遊技球が特定入球口に入球して特別遊技状態が発生するという期待感を、遊技球が特定入球口に入球するか否かが判るまで持続させることが可能となる。その結果、特別可動入賞装置に入賞した遊技球の動きを見る楽しみを遊技者に与えることが可能となる。
【００１２】
そこにおいて、本発明では、回転ステージへ誘導されてきた遊技球が回転ステージに設けられた複数の磁石のうちの特定の磁石に吸着される確率が、第一の遊技球誘導手段と第二の遊技球誘導手段とで異なるように設定されていることから、特別可動入賞装置に入賞して転動ステージに誘導されてきた遊技球が第一の遊技球誘導手段と第二の遊技球誘導手段の何れによって回転ステージに誘導されるかということに関して遊技者の興味を惹きつけることが可能となる。その結果、遊技球が特別可動入賞装置に入賞することによって得られる、遊技球が特定入球口に入球して特別遊技状態が発生するという期待感を、盛り上げることが可能になると共に、特別可動入賞装置に入賞した遊技球の動きを見る楽しみを大きくすることが可能となる。
【００１３】
加えて、本発明では、回転ステージに設けられた磁石に吸着されている遊技球を磁石から引き離す特定遊技球引離手段が、回転ステージが所定角度回転する毎に作動せしめられるようになっていることから、回転ステージに設けられた複数の磁石の何れに吸着されている遊技球が特定遊技球引離手段によって磁石から引き離されるのかを予測する楽しみを遊技者に与えることが可能となる。その結果、遊技球が特別可動入賞装置に入賞することによって得られる、遊技球が特定入球口に入球して特別遊技状態が発生するという期待感を、一層盛り上げることが可能になると共に、特別可動入賞装置に入賞した遊技球の動きを見る楽しみを一層大きくすることが可能となる。
【００１４】
なお、本発明における磁石や第一の誘導用磁石，第二の誘導用磁石は、永久磁石のみならず、電磁石も含むものとする。
【００１５】
また、本発明において、回転ステージの回転中心軸線が延びる方向は、特に限定されるものではないが、回転ステージに設けられた磁石に吸着されている遊技球の動きを見易くするために、転動ステージに対して平行な方向、即ち、特別可動入賞装置に入賞するまでに遊技球が流下する遊技盤面に対して略直交する方向に延びていることが望ましい。
【００１６】
また、本発明においては、回転ステージの回転に伴って回転せしめられる遊星枠と、かかる遊星枠の回転に伴って回転せしめられる遊星歯車とを含んで構成された遊星歯車機構が設けられており、特定遊技球引離手段が、遊星歯車と一体的に回転可能に設けられて、特定の磁石に吸着された遊技球に接触した状態で更に回転せしめられることにより、遊技球を特定の磁石から払い落とす払落突起を含んで構成されていることが望ましい。これにより、特定遊技球引離手段の配設スペースを有利に確保することが可能となる。また、特定遊技球引離手段の動きを大きくして、遊技球を特定の磁石から引き離すことを有利に実現することが可能となる。
【００１７】
更にまた、本発明においては、回転ステージに設けられた磁石に吸着されている遊技球が特定遊技球引離手段の作動位置に到達する前において、第一の遊技球誘導手段によって誘導されて磁石に吸着された遊技球のうち第二の遊技球誘導手段によって誘導されてきた遊技球が吸着せしめられる磁石以外の磁石に吸着せしめられた遊技球を引き離す到達前遊技球引離手段が設けられていることが望ましい。これにより、第一の遊技球誘導手段によって回転ステージへ誘導されてきた遊技球であっても、到達前遊技球引離手段によって磁石から引き離されなかった場合には、特定入球口に入球する可能性が高くなる。その結果、到達前遊技球引離手段によって遊技球が磁石から引き離されてほしくないという思いを遊技者に抱かせることが可能となる。従って、遊技球が特別可動入賞装置に入賞することによって得られる、遊技球が特定入球口に入球して特別遊技状態が発生するという期待感を、より一層盛り上げることが可能になると共に、特別可動入賞装置に入賞した遊技球の動きを見る楽しみをより一層大きくすることが可能となる。
【発明を実施するための最良の形態】
【００１８】
以下、本発明を更に具体的に明らかにするために、本発明の実施形態について、図面を参照しつつ、詳細に説明する。
【００１９】
図１には、本発明の一実施形態としてのパチンコ機１０が示されている。このパチンコ機１０において機体の外郭を為す外枠１２の開口前面側には、縦長方形の中枠１４が開閉及び着脱自在に組み付けられている。また、中枠１４には、後述する遊技領域２８が形成された遊技盤１６が着脱自在に組み付けられており、かかる遊技盤１６に形成された遊技領域２８は、中枠１４に対して開閉可能に組み付けられた前枠１８によって保持されている透明板を通して遊技者に視認されるようになっている。そして、中枠１４に突設された操作ハンドル２０に対して回動可能に装着された操作レバー２２を遊技者が回動操作することにより、中枠１４に設けられた発射球貯留皿２４に貯留されている遊技球が、図示しない球送り機構を介して発射装置（図示せず）に送られた後、遊技領域２８に向けて発射されるようになっている。
【００２０】
続いて、中枠１４に組み付けられている遊技盤１６について説明する。この遊技盤１６は、表面に合成樹脂製のシートが被着された遊技板を備えており、かかる遊技板の表面側には、レールセット２６が固着されている。これにより、遊技盤１６には、レールセット２６によって囲まれた略円形の遊技領域２８が形成されている。
【００２１】
かかる遊技領域２８の略中央には、特別可動入賞装置としてのセンター役物３０が設けられている。このセンター役物３０は、図２に示されているように、前方に開口する凹室３２を備えており、かかる凹室３２の開口端から外方に向かって突出する取付板３４によって、遊技板（遊技盤１６）に取り付けられるようになっている。
【００２２】
そこにおいて、センター役物３０には、凹室３２の上方において、閉鎖部材としての一対の羽根部材３６，３６が、それぞれ、一軸回りに傾動可能な状態で配されている。そして、一対の羽根部材３６，３６が起立せしめられた状態では、凹室３２の上方に設けられた入賞口３８が羽根部材３６，３６によって実質的に閉鎖されて、遊技球の入賞口３８への入賞が出来ないようにされている一方、一対の羽根部材３６，３６が傾動せしめられた状態では、入賞口３８が実質的に開放されて、遊技球の入賞口３８への入賞が許容されている。
【００２３】
なお、本実施形態では、遊技領域２８に設けられた始動入賞装置４０に遊技球が入賞することにより、一対の羽根部材３６，３６が所定の作動パターンに基づいて傾動せしめられるようになっている。
【００２４】
また、入賞口３８に入賞した遊技球は、従来から公知の近接スイッチによって構成されたカウントスイッチ４２，４３によって検出された後、誘導通路４４を通ることにより、凹室３２の底面に形成された転動ステージ４６へ誘導されてくる。そして、転動ステージ４６に誘導されてきた遊技球は、第一の遊技球誘導手段としての第一の回転ドラム４８と第二の遊技球誘導手段としての第二の回転ドラム５０の何れかによって、凹室３２の奥側へ誘導されるようになっている。
【００２５】
そこにおいて、本実施形態では、第一の回転ドラム４８と第二の回転ドラム５０は、それぞれ、円筒状外周面を備えている。そして、第一の回転ドラム４８は、第一の誘導用磁石としての永久磁石５２が周方向に等間隔に複数（本実施形態では、四つ）設けられた構造とされている一方、第二の回転ドラム５０は、第二の誘導用磁石としての永久磁石５４が周方向に等間隔に複数（本実施形態では、二つ）設けられた構造とされている。換言すれば、本実施形態では、第一の回転ドラム４８に設けられた四つの永久磁石５２のうち二つは、一つの径方向で対向位置せしめられており、残りの二つは、一対の永久磁石５２，５２が対向位置せしめられた方向に対して直交する方向で対向位置せしめられている一方、第二の回転ドラム５０に設けられた二つの永久磁石は、一つの径方向で対向位置せしめられている。
【００２６】
なお、第一の回転ドラム４８や第二の回転ドラム５０に永久磁石５２，５４を設ける方法としては、例えば、円筒状外周面に開口する収容穴を形成して、かかる収容穴に永久磁石５２，５４を収容した後、収容穴の開口をステッカーで覆い隠す方法等が採用され得る。
【００２７】
このような構造とされた第一の回転ドラム４８と第二の回転ドラム５０は、図３に示されているように、同一中心軸線上に位置せしめられた状態で配設される。そこにおいて、本実施形態では、第一の回転ドラム４８と第二の回転ドラム５０が同一中心軸線上に位置せしめられた状態で、第二の回転ドラム５０に設けられた永久磁石５４の周方向位置が、軸方向の投影において、第一の回転ドラム４８に設けられた四つの永久磁石５２のうち一つの径方向で対向位置せしめられる二つの永久磁石５２，５２の周方向位置と一致するようにされている。換言すれば、第一の回転ドラム４８に設けられた四つの永久磁石５２のうちの二つの永久磁石５２，５２の周方向位置と第二の回転ドラム５０に設けられた二つの永久磁石５４の周方向位置が一致するようにされているのである。
【００２８】
そして、本実施形態では、第一の回転ドラム４８と第二の回転ドラム５０が、上述の如く同一中心軸線上に位置せしめられた状態で連結されて、一つのドラム用電動モータ５６によって一体的に回転せしめられるようになっており、その回転方向は、各回転ドラム４８，５０の上半周面が転動ステージ４６から切離ステージ５８（後述する）へ移動する方向とされている。即ち、各回転ドラム４８，５０に設けられた永久磁石５２，５４に吸着された遊技球は、転動ステージ４６から上方に持ち上げられるようにして、手前側から奥側（転動ステージ４６側から切離ステージ５８側）へ移動するようになっているのである。
【００２９】
なお、本実施形態では、ドラム用電動モータ５６への通電は、パチンコ機１０の作動を制御する主制御回路（図示せず）によって行われるようになっており、特に本実施形態では、パチンコ機１０への電源の供給の開始から終了まで継続して行われるようになっている。その結果、本実施形態では、第一の回転ドラム４８と第二の回転ドラム５０は、パチンコ機１０への電源の供給の開始から終了まで一定の回転速度で回転し続けるようになっているのである。
【００３０】
また、第一の回転ドラム４８と第二の回転ドラム５０の後方には、切離ステージ５８が設けられており、第一の回転ドラム４８に設けられた永久磁石５２に吸着されて誘導されてきた遊技球や第二の回転ドラム５０に設けられた永久磁石５４に吸着されて誘導されてきた遊技球が、切離ステージ５８の手前側上端の角に接触した状態で、第一の回転ドラム４８や第二の回転ドラム５０が更に回転せしめられることによって、遊技球が永久磁石５２，５４から引き離されるようになっている。
【００３１】
なお、第一の回転ドラム４８や第二の回転ドラム５０から切離ステージ５８を経て後述する回転ステージ６０への遊技球の移動を速やかにするために、切離ステージ５８の奥行方向の寸法は遊技球の直径よりも短くされていることが望ましい。
【００３２】
そして、このようにして永久磁石５２，５４から引き離された遊技球は、切離ステージ５８上を奥側へ転動した後、切離ステージ５８の後方において、一軸回りに回転可能に配された回転ステージ６０へと誘導されるようになっている。
【００３３】
この回転ステージ６０は、全体として円環形状を呈しており、図４に示されているように、裏面と内周面に開口する凹所６２が周方向に等間隔に複数（本実施形態では、１０個）形成されている。また、各凹所６２内には、磁石としての永久磁石６４が設けられている。これにより、各凹所６２に収容された遊技球は、永久磁石６４に吸着された状態で、回転ステージ６０の回転に伴って移動するようになっている。
【００３４】
このような構造とされた回転ステージ６０は、外周面に形成された係止歯（図示せず）に噛み合わされる出力歯車６６がステージ用電動モータ６８によって回転駆動せしめられることにより、ステージ用電動モータ６８の回転駆動力が回転ステージ６０に伝達されるようになっており、その結果、回転ステージ６０が一軸回りに回転せしめられるようになっている。なお、本実施形態では、回転ステージ６０の回転方向は、図４において時計回りの方向とされている。
【００３５】
そこにおいて、本実施形態では、第一の回転ドラム４８と第二の回転ドラム５０が一回転した状態で、回転ステージ６０が２／５回転するように、回転ステージ６０の回転速度が設定されている。これにより、第一の回転ドラム４８に設けられた永久磁石５２のうち周方向で隣り合う二つの永久磁石５２，５２にそれぞれ吸着されている遊技球は、回転ステージ６０に設けられた永久磁石６４のうち周方向で隣り合う二つの永久磁石６４，６４にそれぞれ吸着されるようになっている。一方、第二の回転ドラム５０に設けられた永久磁石５４のうち周方向で隣り合う二つの永久磁石５４，５４にそれぞれ吸着されている遊技球は、回転ステージ６０に設けられた永久磁石６４のうち一つの永久磁石６４を間に挟んで隣り合う二つの永久磁石６４，６４にそれぞれ吸着されるようになっている。
【００３６】
なお、本実施形態では、ステージ用電動モータ６８への通電は、ドラム用電動モータ５６への通電と同様に、パチンコ機１０の作動を制御する主制御回路（図示せず）によって行われるようになっており、特に本実施形態では、パチンコ機１０への電源の供給の開始から終了まで継続して行われるようになっている。その結果、本実施形態の回転ステージ６０は、パチンコ機１０への電源の供給の開始から終了まで一定の回転速度で回転し続けるようになっているのである。
【００３７】
そこにおいて、本実施形態では、切離ステージ５８が設けられた位置から回転ステージ６０の回転方向に略半周進んだ位置において、第一の遊星歯車機構７０が設けられている。かかる第一の遊星歯車機構７０は、回転ステージ６０の係止歯に噛み合わされる係止歯（図示せず）を有する遊星枠としてのキャリア７２と、かかるキャリア７２の回転中心軸線上とは異なる位置に設けられた中心軸回りに回転可能に配されて、キャリア７２と同一中心軸線上に設けられた固定リング７４の内周面に形成された内歯歯車（図示せず）に噛み合わされることにより、固定リング７４の内周面に沿ってキャリア７２の中心軸線回りでキャリア７２と共に回転せしめられる遊星歯車７６とを含んで構成されている。
【００３８】
そして、遊星歯車７６に対して一体的に設けられた払落突起としての外方突部７８が、凹所６２に収容された状態で永久磁石６４に吸着されている遊技球の回転軌道上に、所定周期で出現するようになっており、遊技球の回転軌道上に出現した外方突部７８が遊技球に接触し、その状態で、外方突部７８（遊星歯車７６）と回転ステージ６０が互いに反対の方向に回転せしめられることにより、遊技球が永久磁石６４から引き離されるようになっている。なお、このことから明らかなように、本実施形態では、第一の遊星歯車機構７０によって駆動せしめられる外方突部７８を含んで特定遊技球引離手段が構成されている。
【００３９】
因みに、本実施形態では、回転ステージ６０が４／５回転する毎に、回転ステージ６０に設けられた永久磁石６４に吸着されている遊技球の回転軌道上に外方突部７８が出現するようになっている。換言すれば、ある時点で外方突部７８によって遊技球が引き離される永久磁石６４から回転ステージ６０の回転方向とは反対側のほうへ八つ移動した位置にある永久磁石６４が、次に外方突部７８によって引き離される遊技球が吸着される永久磁石６４とされているのである。
【００４０】
また、本実施形態では、第一の回転ドラム４８（第二の回転ドラム５０）が二回転するのに要する時間と、回転ステージ６０に設けられた永久磁石６４に吸着されている遊技球の回転軌道上に外方突部７８が出現する周期とが、何れも、回転ステージ６０が４／５回転するのに要する時間と同じに設定されていることから、第一の回転ドラム４８が二回転する間に回転ステージ６０へと誘導することが出来る遊技球のうちの一つは外方突部７８によって永久磁石６４から引き離されるようになっている。即ち、本実施形態では、第一の回転ドラム４８によって回転ステージ６０へと誘導されてきた遊技球は、１／８の確率で外方突部７８によって永久磁石６４から引き離されるようになっているのである。
【００４１】
更にまた、本実施形態では、第二の回転ドラム５０が二回転する間に回転ステージ６０へと誘導することが出来る遊技球のうちの一つも外方突部７８によって永久磁石６４から引き離されるようになっている。即ち、本実施形態では、第二の回転ドラム５０によって回転ステージ６０へと誘導されてきた遊技球は、１／４の確率で外方突部７８によって永久磁石６４から引き離されるようになっている。
【００４２】
なお、上述の説明から明らかなように、本実施形態では、第二の回転ドラム５０によって回転ステージ６０へ誘導されてくる遊技球が外方突部７８によって永久磁石６４から引き離される確率のほうが、第一の回転ドラム４８によって回転ステージ６０へ誘導されてくる遊技球が外方突部７８によって永久磁石６４から引き離される確率よりも高く設定されているのである。
【００４３】
そして、外方突部７８によって永久磁石６４から引き離された遊技球は、特定入球口としてのＶ入賞口８０に入り、その後、遊技盤１６の裏側に排出されるようになっている。これにより、所定の開閉作動パターンに基づいて、一対の羽根部材３６，３６が作動せしめられることにより、センター役物３０への遊技球の入賞が可能となって、通常の遊技状態よりも多くの賞球を得ることが出来る特別遊技状態としての大当たり遊技状態が発生する。一方、外方突部７８によって永久磁石６４から引き離されなかった遊技球は、第一の回転ドラム４８や第二の回転ドラム５０が設けられた位置に到達する前において、回転ステージ６０に設けられた永久磁石６４に吸着されている遊技球の回転軌道上に位置せしめられる、図示しない壁等に接触することによって、永久磁石６４から引き離された後、遊技盤１６の裏側に排出されるようになっている。
【００４４】
また、本実施形態では、回転ステージ６０の回転方向で第一の遊星歯車機構７０よりも手前側（切離ステージ５８側）の位置において、第二の遊星歯車機構８２が設けられている。かかる第二の遊星歯車機構８２は、回転ステージ６０の係止歯に噛み合わされる係止歯（図示せず）を有するキャリア８４と、かかるキャリア８４の回転中心軸線上とは異なる位置に設けられた中心軸回りに回転可能に配されて、キャリア８４と同一中心軸線上に設けられた固定リング８６の内周面に形成された内歯歯車（図示せず）に噛み合わされることにより、固定リング８６の内周面に沿ってキャリア８４の中心軸線回りでキャリア８４と共に回転せしめられる遊星歯車８８とを含んで構成されている。
【００４５】
そして、遊星歯車８８に対して一体的に設けられた複数の凸部９０の何れかが、凹所６２に収容された状態で永久磁石６４に吸着されている遊技球の回転軌道上に、所定周期で出現するようになっており、遊技球の回転軌道上に出現した凸部９０が遊技球に接触し、その状態で、凸部９０（遊星歯車）と回転ステージ６０が互いに反対の方向に回転せしめられることにより、遊技球が永久磁石６４から引き離されるようになっている。
【００４６】
因みに、本実施形態では、回転ステージ６０が１／５回転する毎に、回転ステージ６０に設けられた永久磁石６４に吸着されている遊技球の回転軌道上に複数の凸部９０の何れかが出現するようになっている。換言すれば、ある時点で何れかの凸部９０によって遊技球が引き離される永久磁石６４の二つ隣りに位置する永久磁石６４が、次に凸部９０によって遊技球が引き離される永久磁石６４とされているのである。そして、本実施形態では、第一の回転ドラム４８によって誘導されてきて、永久磁石６４に吸着せしめられた遊技球のうち、第二の回転ドラム５０によって誘導されてきた遊技球が吸着せしめられる永久磁石６４とは異なる永久磁石６４に吸着せしめられた遊技球が、凸部９０によって、永久磁石６４から引き離されるようになっている。なお、このことから明らかなように、本実施形態では、凸部９０を含んで到達前遊技球引離手段が構成されている。
【００４７】
このような構造とされたパチンコ機１０においては、センター役物３０に入賞した遊技球の全てが、第一の回転ドラム４８と第二の回転ドラム５０の何れかによって、回転ステージ６０へと誘導されるようになっていることから、センター役物３０に入賞した遊技球の全てにＶ入賞口８０に入球する可能性を付与することが可能となる。これにより、センター役物３０に遊技球が入賞すると、遊技球がＶ入賞口８０に入賞するかもしれないとの期待感を遊技者に与えることが可能となる。その結果、センター役物３０に入賞した遊技球の動きを最後まで追いかける動機を遊技者に与えることが可能となる。
【００４８】
また、第一の回転ドラム４８と第二の回転ドラム５０では、回転ステージ６０に誘導してきた遊技球が、外方突部７８によって回転ステージ６０に設けられた永久磁石６４から引き離されて、Ｖ入賞口８０に入球する確率が異ならされていることから、第一の回転ドラム４８と第二の回転ドラム５０の何れによって遊技球が回転ステージ６０へ誘導されるかということに関して遊技者の興味を惹きつけることが可能となる。その結果、センター役物３０に入賞した遊技球が転動ステージ４６に誘導されてきてから回転ステージ６０へ誘導されるまでの過程に遊技者の興味を惹きつけることが可能となる。
【００４９】
更にまた、回転ステージ６０に設けられた永久磁石６４に吸着されている遊技球は、かかる遊技球の回転軌道上に所定周期で出現する外方突部７８によって、永久磁石６４から引き離されることにより、Ｖ入賞口８０に入球するようになっていることから、外方突部７８によって遊技球が永久磁石６４から引き離されるか否かということに関して遊技者の興味を惹きつけることが可能となる。これにより、回転ステージ６０の回転に伴って移動する遊技球の動きに遊技者の興味を惹きつけることが可能となる。
【００５０】
従って、上述の如き構造とされたパチンコ機１０においては、センター役物３０に入賞した遊技球がＶ入賞口８０に入賞することに対する期待感を維持させて、センター役物３０に入賞した遊技球の動きを見る楽しみを遊技者に与えることが可能となるのである。
【００５１】
特に本実施形態では、回転ステージ６０に設けられた永久磁石６４に吸着されている遊技球が外方突部７８によって永久磁石６４から引き離される位置に到達する前に、凸部９０によって永久磁石６４から引き離される可能性があることから、凸部９０によって永久磁石６４から遊技球が引き離されなかった場合には、その遊技球は外方突部７８によって永久磁石６４から引き離されてＶ入賞口８０に入球する可能性が高まる。それ故、センター役物３０に入賞した遊技球がＶ入賞口８０に入球することに対する期待感を盛り上げることが可能になる。
【００５２】
また、本実施形態では、回転ステージ６０に設けられた永久磁石６４に吸着されている遊技球の回転軌道上に出現する外方突部７８が第一の遊星歯車機構７０を構成する遊星歯車７６に一体的に設けられていることから、外方突部７８のストローク量を有利に確保することが可能になると共に、配設スペースも有利に確保することが可能となる。加えて、外方突部７８を含んで構成された特定遊技球引離手段や凸部９０を含んで構成された到達前遊技球引離手段の駆動源を別途設ける必要もなくなる。
【００５３】
以上、本発明の一実施形態について詳述してきたが、これはあくまでも例示であって、本発明は、かかる実施形態における具体的な記載によって、何等、限定的に解釈されるものではない。
【００５４】
例えば、前記実施形態において、かさは歯車やウォームギアを介して、回転ステージ６０と第一の回転ドラム４８（第二の回転ドラム５０）との間で回転駆動力を伝達せしめることにより、一つの電動モータで第一の回転ドラム４８（第二の回転ドラム５０）と回転ステージ６０を回転駆動せしめるようにしても良い。
【００５５】
また、前記実施形態において、第一の回転ドラム４８と第二の回転ドラム５０を別々の電動モータで回転駆動せしめるようにしても良い。
【００５６】
さらに、図５に示されているように、前記実施形態の第一の回転ドラム４８と第二の回転ドラム５０を一つに纏めたかの如き構造の回転ドラム９２、即ち、軸方向中央よりも軸方向一端側において周方向に等間隔に複数設けられた磁石９４によって回転ステージ６０へ誘導される遊技球のほうが、軸方向中央よりも軸方向他端側において周方向に等間隔に複数設けられた磁石９６によって回転ステージ６０へ誘導される遊技球よりも特定入球口に入球する確率が高く設定された回転ドラム９２を一つだけ採用して、かかる回転ドラム９２によって第一の遊技球誘導手段と第二の遊技球誘導手段を構成するようにしても良い。この場合、例えば、始動入賞に基づく内部抽選によって、センター役物３０に入賞した遊技球が吸着される磁石を低確率側の磁石９６か高確率側の磁石９４の何れにするかを決定し、その結果に基づいて、回転ドラム９２をソレノイド等で軸方向（図中の→の方向）に往復直線駆動せしめるようにしても良い。その際、回転ドラム９２を駆動するための電動モータも一緒に直線駆動せしめることが望ましい。なお、理解を容易にするために、図５において、前記実施形態と同様な構造とされた部材及び部位については、前記実施形態と同一の符号を付してある。
【００５７】
更にまた、図６に示されているように、第一の回転ドラム４８と第二の回転ドラム５０を、回転中心軸線が回転ステージ６０の回転中心軸線と一致するようにして、切離ステージ５８を挟むように配設しても良い。なお、理解を容易にするために、図６において、前記実施形態と同様な構造とされた部材及び部位については、前記実施形態と同一の符号を付してある。
【００５８】
さらに、本発明における特定遊技球引離手段は、前記実施形態のように、遊星歯車機構を利用しないで、普通の歯車によって駆動せしめられる部材で構成されていても良い。
【００５９】
更にまた、回転ステージのほうへ誘導した遊技球が特定の磁石に吸着される確率を、第一の遊技球誘導手段によって回転ステージのほうへ誘導されてきた遊技球が特定の磁石に吸着される確率よりも高く設定する方法としては、前記実施形態のように、永久磁石５２，５４の数を異ならせる方法の他に、例えば、第一の遊技球誘導手段（第一の回転ドラム４８）の動く速さを第二の遊技球誘導手段（第二の回転ドラム５０）の動く速さと異ならせる方法等がある。
【００６０】
また、前記実施形態において、凹室３２の奥壁面を液晶表示器の表示画面で構成するようにしても良い。
【００６１】
更にまた、第一の遊技球誘導手段や第二の遊技球誘導手段として、ベルトコンベア等を採用することも、勿論可能である。
【００６２】
また、本発明において、特定遊技球引離手段は、回転ステージが３６０度（一周）以上回転する毎に作動せしめられるようになっていても良い。
【００６３】
その他、一々列挙はしないが、本発明は、当業者の知識に基づいて種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００６４】
【図１】本発明の一実施形態としてのパチンコ機を示す正面図。
【図２】同パチンコ機で採用されているセンター役物の正面図。
【図３】同センター役物内での回転ステージと切離ステージと第一及び第二の回転ドラムの位置関係を説明するための平面図。
【図４】同センター役物内での回転ステージと第一及び第二の回転ドラムの位置関係を説明するための平面図。
【図５】本発明で採用可能な第一及び第二の遊技球誘導手段を説明するための平面図。
【図６】本発明で採用可能な第一及び第二の遊技球誘導手段を説明するための平面図。
【符号の説明】
【００６５】
１０：パチンコ機，３０：センター役物，３８：入賞口，４０：始動入賞装置，４６：転動ステージ，４８：第一の回転ドラム，５０：第二の回転ドラム，６０：回転ステージ，６４：永久磁石，７８：外方突部，８０：Ｖ入賞口
【図１】
2008279131.tif 000003
【図２】
2008279131.tif 000004
【図３】
2008279131.tif 000005
【図４】
2008279131.tif 000006
【図５】
2008279131.tif 000007
【図６】
2008279131.tif 000008